(57)【要約】【課題】保護板と表示パネルの間に透明層を有する表示装置において、透明層内への気泡の混入が少なく、高品位な表示が得られる表示装置を実現すること。【解決手段】表示パネルと、表示パネルの前面側に配置する透明な保護板と、表示パネル及び前記保護板の間に透明層を有する表示装置において、透明層の端部における厚みは、前記透明層の中央部における厚みより薄く、前記透明層の端部が外側に向って膨らんでいる、斜めにカットされている、または、内側へ凹んでいることを特徴とする表示装置。【選択図】  図１
2011118409.tif 000002
【特許請求の範囲】
【請求項１】
表示パネルと、
前記表示パネルの前面側に配置する透明な保護板と、
前記表示パネル及び前記保護板の間に透明層を有する表示装置において、
前記透明層の端部における厚みは、前記透明層の中央部における厚みより薄いことを特徴とする表示装置。
【請求項２】
請求項１において、
前記透明層の端部が外側に向って膨らんでいる表示装置。
【請求項３】
請求項１において、
前記透明層の端部が斜めにカットされている表示装置。
【請求項４】
請求項１において、
前記透明層の端部が内側へ凹んでいる表示装置。
【請求項５】
表示パネルと、
前記表示パネルの前面側に配置する透明な保護板と、
前記表示パネル及び前記保護板の間に透明層を有する表示装置において、
前記保護板の表示パネル側には、着色層を有し、
前記着色層の上に平坦化層を有し、
前記平坦化層は、前記保護板上の前記着色層による段差を平坦化することを特徴とする請求項１に記載の機器。
【請求項６】
請求項１または５において、
前記表示パネルが液晶表示パネルであり、
前記液晶表示パネルは、液晶セルとバックライトから構成され、
前記液晶セルと前記バックライトとの間に前記透明層と略同じ透明層を配置することを特徴とする表示装置。
【発明の詳細な説明】
【技術分野】
【０００１】
本発明は、表示装置に関し、特にその前面側に透明な保護板を備える表示装置に関する。さらに、このような表示装置を備える機器に関する。
【背景技術】
【０００２】
携帯電話などの携帯機器に搭載される表示装置としては、液晶表示装置や、有機エレクトロルミネッセンス表示装置がある。これらの表示装置にはパッシブ駆動方式やアクティブ駆動方式があるが、詳細な構成や動作については周知であるのでその説明はここでは省略する。
【０００３】
このような表示装置が携帯電話などの携帯機器に搭載される場合には、外部からの機械的な力の作用により表示が乱れたり、破壊してしまうことを防止するため、表示装置の前面に透明な保護板を設ける。
【０００４】
保護板は空気と異なる屈折率を有するため、保護板と空気との界面では反射が生じる。つまり、保護板を備える表示装置では、保護板の前面と背面で不要な界面反射が生じるため、特に周囲の環境が明るい場合には表示装置の視認性が著しく損なわれてしまう。
【０００５】
保護板を備えることにより生じる不要な反射を抑制する方法として、例えば特許文献１には、保護板と表示装置との間に保護板と略同一の屈折率の液状材料で構成される外光反射防止層を設ける表示装置が開示されている。
【０００６】
この場合、保護板と外光反射防止層との間の境界面や外光反射防止層と表示装置との間の境界面での反射を抑制することができる。
【先行技術文献】
【特許文献】
【０００７】
【特許文献１】特開平５−１１２３９号公報
【発明の概要】
【発明が解決しようとする課題】
【０００８】
保護板と表示装置との間に液状材料からなる透明層を外光反射防止層として充填する場合、保護板と表示装置の間から透明層が漏れ出さないようにするため、周囲をシール材で覆うなどの対策が必要となり、工程や構造が煩雑になる。
【０００９】
このため、我々はその扱い易さと加工性が良いことから透明層として液状材料の代わりにシート状材料を適用することを検討した。透明層としてシート状の材料を適用する場合には幾つかの課題が生じる。
【００１０】
一般に保護板と表示装置はいずれも固く、固いもの同士の間にシート状部材を貼り合わせる場合、気泡が介在しやすい。シート状部材からなる透明層と保護板の間や透明層と表示装置の間に気泡が介在する場合、気泡が介在する部分では不要な反射が生じるため、表示品位が低下するという課題を生じる。
【００１１】
また、従来の構造では保護板と表示装置との間に空気からなる隙間があるため、外部から機械的な力が加わり保護板が変形しても、表示装置には直接力が到達しないため表示装置が保護される構造となっている。しかし、保護板と表示装置との間をシート状の透明層で充填すると、外部から保護板に加わる機械的な力が表示装置に伝わり易くなり、それに起因する不具合が生じやすくなる。
【００１２】
本発明はこのような従来技術の課題を解決すべくなされたものであり、その目的は気泡の混入が少なく、高品位な表示が得られる表示装置を実現することにある。
【００１３】
また、外部から機械的な力が作用しても不具合が生じにくい表示装置を提供することにある。
【００１４】
本発明のその他の課題と新規な特徴については本明細書の記述及び添付図面を参照して明らかにする。
【課題を解決するための手段】
【００１５】
本発明は上記目的を達成するため、例えば以下の手段を採用する。
【００１６】
また、表示パネルと、その前面側に配置する透明な保護板と、前記表示パネル及び前記保護板の間に透明層を有する表示装置において、
前記透明層がシート状の透明部材からなり、その端部の厚みが中央部より薄いことを特徴とする。
【００１７】
この場合、保護板と透明層を接触させた際に抱き込まれる気泡は、圧力を加えることで透明層の端部から排出しやすくなり、気泡の残留を抑制することができる。また、保護板の表示パネル側には一般に枠やロゴなどの着色層が印刷されているが、この着色層は保護板の表面よりも高く、段差を形成するため、そこに気泡が残留しやすい。しかし、透明層の端部を薄くし、この薄い部分を保護板の印刷面段差に相当する位置に配置することで、印刷面段差起因の気泡の発生は抑制される。また、透明層の熱膨張係数が表示パネルと異なる場合に、環境温度の変化による寸法の変化が透明層で吸収しやすくなる。
【００１８】
また、表示パネルと、その前面側に配置する透明な保護板と、前記表示パネル及び前記保護板の間に透明層を有する表示装置において、
前記保護板の表示パネル側には、着色層を有し、さらにその上に平坦化層を有することを特徴とする。
【００１９】
この場合、保護板上の着色層による段差は平坦化層により緩和されるため着色層の段差起因の気泡の発生が抑制できる。
【００２０】
また、表示パネルと、その前面側に配置する透明な保護板と、前記表示パネル及び前記保護板の間に透明層を有する表示装置において、
前記表示パネルが液晶表示パネルであり、該液晶表示パネルは液晶セルとバックライトから構成され、前記液晶セルと前記バックライトの間に前記透明層と略同じ透明層を配置することを特徴とする。
【００２１】
この場合、液晶セルは２つの透明層でサンドイッチされるため、透明層の熱膨張係数が液晶セルと異なる場合であっても、環境温度の変化により液晶セルが反ることで、表示が乱れたり、機械的に変形してしまうことが抑制される。
【００２２】
特に、バックライトとしてサイドライト方式を用い、その導光板に使用する透明体と、保護板に使用する透明体を、同じ材質、もしくは同等の熱膨張係数を有する材質で構成すれば、液晶セルを中心として、ほぼ対称な構造となるため各構成要素の熱膨張係数が異なっていても、液晶セルが反ることで、表示が乱れたり、機械的に変形してしまうことが抑制される。
【００２３】
また、表示パネルと、その前面側に配置する透明な保護板と、前記表示パネル及び前記保護板の間に透明層を有する表示装置を備える機器において、
前記保護板は前記表示パネルよりも面積が大きく、前記表示パネルは前記透明層により前記保護板に接着されており、
さらに前記表示装置は前記保護板が筐体に固定されることで、機器に固定されていることを特徴とする。
【００２４】
この場合、外部から表示装置に加わる機械的な力は保護板と機器の筐体に加わり、表示パネルへ加わる力を抑制できるため、表示に不具合が生じにくくなる。
【００２５】
上記以外の手段については以下の記述で明らかとする。
【発明の効果】
【００２６】
本発明は表示パネルの前面に保護板を有し、保護板の表示パネルとの間に透明層を有する表示装置において、透明層内への気泡の混入が少なく、高品位な表示が得られる表示装置を実現することができる。また、外部から機械的な力が作用しても不具合が生じにくい表示装置を提供することができる。
【図面の簡単な説明】
【００２７】
【図１】本発明の表示装置の断面構造の概略を示す模式図である。
【図２】本発明に係る保護板の溝状構造を模式的に示す正面図である。
【図３】本発明に係る保護板の溝状構造を模式的に示す正面図である。
【図４】本発明に係る保護板の溝状構造を模式的に示す正面図である。
【図５】本発明に係る保護板の溝状構造を模式的に示す正面図である。
【図６】本発明の表示装置の断面構造の概略を示す模式図である。
【図７】本発明に係る保護板の表示パネル側の膨らみ量の定義を説明するための模式図である。
【図８】本発明の表示装置の断面構造の概略を示す模式図である。
【図９】本発明の表示装置の断面構造の概略を示す模式図である。
【図１０】本発明の表示装置の一実施例の概略構成を模式的に示す断面図である。
【図１１】本発明の表示装置の一実施例の概略構成を模式的に示す断面図である。
【図１２】本発明の表示装置の一実施例の概略構成を模式的に示す断面図である。
【図１３】本発明の表示装置の一実施例の概略構成を模式的に示す断面図である。
【図１４】本発明の表示装置の一実施例の概略構成を模式的に示す断面図である。
【図１５】本発明の表示装置の一実施例の概略構成を模式的に示す断面図である。
【図１６】本発明の表示装置の一実施例の概略構成を模式的に示す断面図である。
【図１７】本発明に係る保護板の一例を示す斜視図である。
【図１８】本発明の表示装置に係る保護板の一実施例の概略構成を模式的に示す断面図である。
【図１９】本発明の表示装置に係る保護板の一実施例の概略構成を模式的に示す断面図である。
【図２０】本発明の表示装置に係る保護板の一実施例の概略構成を模式的に示す断面図である。
【図２１】本発明の表示装置の一実施例の概略構成を模式的に示す断面図である。
【図２２】本発明の表示装置の一実施例の概略構成を模式的に示す断面図である。
【図２３】本発明の表示装置の一実施例の概略構成を模式的に示す断面図である。
【図２４】本発明の表示装置の一実施例の概略構成を模式的に示す断面図である。
【図２５】本発明の表示装置の一実施例の概略構成を模式的に示す断面図である。
【図２６】本発明の表示装置の一実施例の概略構成を模式的に示す断面図である。
【図２７】本発明の表示装置の一実施例の概略構成を模式的に示す断面図である。
【図２８】本発明の表示装置を備える機器の一実施例の概略構成を模式的に示す断面図である。
【図２９】本発明の表示装置を備える機器の表示装置近傍の概略構成を模式的に示す一部断面図である。
【発明を実施するための形態】
【００２８】
以下、本発明の実施の形態を図面を参照して説明する。
【実施例１】
【００２９】
図１は本発明の表示装置の１実施例の断面構造の概略を示す模式図である。この表示装置１は表示パネル３０と、その前面に配置する保護板１０と、保護板１０と表示パネル３０の間に充填される透明層２０から構成される。
【００３０】
表示パネル３０としては液晶表示パネルや、有機エレクトロルミネッセンスパネルなどを用いることができる。また、これらの表示パネルにはパッシブ駆動方式やアクティブ駆動方式があるが、詳細な構成や動作については周知であるのでここではその説明は省略する。
【００３１】
本実施例では以下、表示パネル３０として液晶表示パネルを用いる場合を説明するが、本発明はこれに限定されるものではない。
【００３２】
液晶表示パネル３０は、液晶セル４０と、その背面に配置するバックライト５０とから構成される。
【００３３】
バックライト５０は液晶セル４０の表示領域をその背面側から照明するものである。バックライト５０としてはエッジライト方式（導光体方式），直下方式（反射板方式），面状光源方式などがある。バックライト５０はこれらの方式やその他の方式の中から用途や目的，表示領域の大きさに合わせて最適な方式を選べばよい。ここでは、エッジライト方式のバックライトについて説明する。
【００３４】
バックライト５０は裏面に白色顔料によるドット印刷、或いは微細な凹凸形状やレンズ形状等の光の進行方向を変える手段を形成した透明な樹脂からなる導光板５２と、導光板５２の端面に配置した光源５１と、導光板５２の裏面側に配置した反射シート５３と、導光板５２の表面側に配置したプリズムシートや、マイクロレンズアレイ，拡散シートなどの光学部材５４とを有している。
【００３５】
光源５１としては冷陰極管や熱陰極管などの線状光源や発光ダイオード（ＬＥＤ）などの点状光源を使用することができる。ここでは以下、光源５１としてＬＥＤを使用する場合を説明するが本発明はこれに限定されるものではない。
【００３６】
光源５１としてＬＥＤを用いる場合は、光源からの光を導光板５２に効率よく入射させるため、図示しない反射体を設けたり、発光部の周囲に形成するモールド樹脂の形状を工夫すると良い。
【００３７】
この構成において、光源５１から出射し、導光板５２に入射する光は全反射しながら導光板５２内を伝播する。導光板５２内を伝播する光のうち導光体裏面に施された、光の進行方向を変える手段に至った光は、その進行方向が変わり、導光板５２の表面側から出射する。導光板５２から出射する光は、プリズムシートや、マイクロレンズアレイ，拡散シートなどの光学部材により出射角度の分布や、面内での輝度分布が調整された後、液晶セル４０に照射される。
【００３８】
液晶セル４０はバックライト５０からの光の透過光量を調整することで映像を表示する透過型、或いは半透過反射型の液晶セルを用いる。
【００３９】
液晶セル４０は偏光板を備え、液晶層に入射する光の偏光状態を制御することで映像表示を行うものが比較的低い駆動電圧でコントラスト比の高い映像が得られることから望ましい。
【００４０】
液晶セル４０としては例えばＴＮ（Twisted Nematic）方式，ＳＴＮ（Super Twisted Nematic）方式，ＥＣＢ（Electrical Controlled Birefringence）方式などを用いることができる。また、広視野角を特徴とするＩＰＳ（Ｉn Plane Switching）方式，ＶＡ（Vertical Alingned）方式を用いることができる。
【００４１】
あるいは液晶セル４０として、上記方式を応用した半透過反射型の液晶セルを用いることができる。
【００４２】
ここでは以下、液晶セル４０としてアクティブマトリクス方式を用いる場合の概要を説明するが、本発明はこれに限定されるものではない。
【００４３】
液晶セル４０は、平坦かつ透明で光学的に等方なガラス、あるいはプラスチックからなる透明基板４１および透明基板４２とを有する。透明基板４１には、カラーフィルタや、ポリイミド系高分子からなる配向膜（いずれも不図示）が積層されている。透明基板４２には、配向膜，画素を形成する電極，信号電極，薄膜トランジスタ等からなるスイッチング素子等（いずれも不図示）が形成されている。
【００４４】
２枚の透明基板４１，４２は配向膜形成面を向かい合わせ、図示しないスペーサーにより一定の間隙を設けた状態で枠状のシール材４４で周囲を接着して内部に空間を形成する。この空間に液晶を封入し、封止することで液晶層４３が設けられる。
【００４５】
液晶層４３は２枚の透明基板４１，４２上に形成された配向膜に施される配向処理により、その液晶分子長軸の配向方向が規定される。
【００４６】
透明基板４１の前面と透明基板４２の背面にはそれぞれ偏光板４５及び偏光板４６を備える。
【００４７】
偏光板はこれに入射する光のうち互いに直交する直線偏光成分の一方を透過し、他方を吸収するものである。偏光板４５，４６としては例えば、ヨウ素や有機染料などの２色性の材料を染色あるいは吸着させたポリビニルアルコールなどからなる基材フィルムを延伸し、２色性の材料を配向させることで吸収２色性を発現する偏光層をトリアセチルセルロースフィルムなどからなる２枚の保護フィルムで挟んだ構造のものを用いることができる。
【００４８】
偏光板４５，４６はそれぞれ図示しない粘着層を介して、透明基板４１，４２に固定される。
【００４９】
透明層２０は、表示パネル３０の最表面にある偏光板４５、及び保護板１０とその屈折率の値が近いほどそれぞれとの境界面における反射が小さくなる。つまり、不要な反射を減らすため、透明層の屈折率は偏光板や保護板の屈折率との差が小さいことが必要である。
【００５０】
具体的には偏光板の保護層として利用されるトリアセチルセルロースフィルムや後述する保護板として使用される材質の屈折率は１.４〜１.６程度であるので、透明層の屈折率も１.４〜１.６の範囲とすることで各界面での不要反射を十分に抑制することができる。
【００５１】
透明層としては、例えば下記のものが挙げられる。
【００５２】
モノマーを熱硬化，光硬化することにより重合させる熱硬化樹脂や、光硬化樹脂、或いはすでに重合が完了している熱可塑性の樹脂を挙げることができる。
【００５３】
保護板１０と表示パネル３０の間に透明層２０を充填する方法としては、透明層２０が接する部材（保護板、或いは液晶セル）の周縁部に必要に応じて図示しない土手を設け、透明層２０としての熱硬化樹脂や光硬化樹脂のモノマーを保護板１０と表示パネル３０との隙間に充填後、適切な熱、或いは光を与えることにより硬化させるという方法がある。
これら樹脂のモノマーとしては、モノマー内の２重結合を用いて重合させるもの、脱水反応により重合させるもの、脱アルコール反応等が挙げられる。
【００５４】
モノマー内の２重結合を用いて重合させるものとしてスチレン，メチルメタクリレート，エチルメタクリレート，プロピルメタクリレート，イソプロピルメタクリレート，ブチルメタクリレート，イソブチルメタクリレート，ヘキシルメタクリレート，メチルアクリレート，エチルアクリレート，プロピルアクリレート，イソプロピルアクリレート，ブチルアクリレート，イソブチルアクリレート等が挙げられる。これらを単独、或いは複数種用いることで透明層を形成する。脱水反応により重合させるモノマーとしては、末端に２個以上の水酸基、或いはグリシジル基、２個以上のアミノ基を有するものと、末端に２個以上のカルボキシル基、或いはカルボン酸無水物構造を有するものが縮重合するものが挙げられる。末端に水酸基を有するものとしては、エチレングリコール，プロピレングリコール，ジエチレングリコール、１，３−ジヒドロキシシクロブタン、１，４−ジヒドロキシシクロヘキサン、１，５−ジヒドロキシシクロオクタン等、末端にグリシジル基を有するものとしては、エチレングリコールモノグリシジルエーテル，エチレングリコールジグリシジルエーテル等が挙げられる。末端にアミノ基を有するものとしては、エチレンジアミン、１，４−ジアミノブタン、１，６−ジアミノヘキサン、１，４−ジアミノベンゼン、２，６−ジアミノナフタレン，メラミン等が挙げられる。末端にカルボキシル基を有するものとしては、アジピン酸、１，３−フタル酸、１，４−フタル酸，フマル酸，マレイン酸，トリメリト酸，ピロメリト酸等が挙げられる。末端にカルボン酸無水物構造を有するものとしては、無水マレイン酸，無水フタル酸，無水ピロメリト酸等が挙げられる。脱アルコール反応により重合させるものとしては、アルコキシシラン基を有する化合物，アルコキシチタン基を有する化合物が挙げられる。具体的には、テトラメトキシシラン，テトラエトキシシラン，テトラプロポキシシラン，テトラブトキシシラン，メチルトリメトキシシラン，エトキシトリメトキシシラン，ブチルトリメトキシシラン，メチルトリエトキシシラン、エチルトリエトキシシラン，ブチルトリエトキシシラン，１−アミノプロピルトリエトキシシラン，１−クロルプロピルトリエトキシシラン，１−グリシジルプロピルトリエトキシシラン等が挙げられる。
【００５５】
また、ポリイソブチレンのように弾性の高い材料を用いることで、透明層は衝撃に対する緩衝作用を向上させることも可能である。透明層２０の硬さとしては、ゴム硬度測定の規格ＪＩＳ  Ｋ  ６２５３において、硬度５から硬度４０が好適である。これは硬度５未満の場合は長期にわたって透明層２０を保持する際の信頼性が下がるおそれがあり、また硬度４０を超えると、衝撃に対する緩衝効果が低下する傾向がある。
【００５６】
また、熱可塑性樹脂としては、ポリスチレン，スチレン／アクリル樹脂，アクリル樹脂，ポリエステル樹脂，ポリプロピレン，ポリイソブチレン等が挙げられる。これらはＴｇ以上に加温することにより液状化して充填することができる。
【００５７】
尚、本実施例は透明層が液体の場合を除外するものではない。この場合、以下のような方法で透明層を充填することができる。まず透明層の接する部材（保護板、或いは液晶セル）の周囲に図示しないバンクを設け、次に液状の透明層組成物を注入し、気泡が入っている場合は、オートクレーブ等の装置で加圧、或いは加圧・加熱したり、バイブレータ等で振動を与えたり、吸引する等して気泡を除去する。透明層が液状の場合、例えばアルコール（炭素数６以上），ジオール（エチレングリコール，プロピレングリコール等），炭化水素（炭素数１０以上），エチレングリコールのモノアルキルエーテル，エチレングリコールのモノアルキルエステル，ジエチレングリコールのモノアルキルエーテル，ジエチレングリコールのモノアルキルエステル，トリエチレングリコールのモノアルキルエーテル，トリエチレングリコールのモノアルキルエステル等を用いることができる。
【００５８】
透明層の厚さは、液体の場合、バンクを形成する際の精度を確保するため、或いは気泡を抜けやすくするため、少なくとも０.１mm以上が望ましい。また、厚すぎると、特に液
体の場合、液体の重量が増加するためバンクの液体保持が困難になってくる。
【００５９】
このように、透明層を液状として充填する場合、工程や構造が煩雑になる。このため、透明層として液状素材の代わりにシート状の素材を適用することが、その扱い易さと加工性が良いことから望ましい。この場合、シート状の透明層としては、いわゆる透明エラストマーを用いればよく、その弾性率は１×１０5〜３×１０5Ｐａとし、厚さは０.１mm〜１mm程度とすることが扱い易さの面から望ましい。
【００６０】
透明層２０は少なくとも表示パネル３０の表示領域（画面）を全て覆うように配置される。
【００６１】
保護板１０としては可視領域に吸収がほとんど無い透明な板を用いることができる。具体的にはアクリルやポリカーボネートなどの透明な樹脂からなる板やガラス板を使用することができる。
【００６２】
保護板１０は少なくとも表示パネル３０の表示領域（画面）よりも面積が大きく、さらに透明層２０よりも大きな範囲を覆うように配置する。
【００６３】
保護板１０の表示パネル３０側の面には微細な凹凸形状を形成する。この場合、保護板と透明層を接触させた際に抱き込まれる気泡は、圧力を加えることで保護板に形成した凹凸の隙間から抜けるため、気泡の残留を抑制することができる。つまり、透明層２０として、シート状の材料を用いても、気泡の残留が抑制されるので、明るい環境であっても外光の反射が少なく、高品位な画像が得られる表示装置が実現できる。
【００６４】
尚、保護板１０に微細な凹凸形状を形成する場合には、透明層２０は予め、表示パネル３０上に密着させておく。この際、透明層２０として、シート状の材料を用いる場合、シート状の透明層の弾性率が１〜３×１０5Ｐａ程度であれば表示パネル３０上に気泡の残留なく密着させることは容易である。
【００６５】
保護板１０に形成する凹凸は、その断面形状が三角波や矩形波型でも良いが、図１に例示する通り、保護板１０に透明層２０が密着しやすくするためには角のない波型にすることが望ましい。また、保護板１０に形成する凹凸の高さは、透明層２０の弾性率により最適な値は異なるが、気泡残留の防止という観点からは１μｍ以上が好ましく、密着後の安定性という観点から２５μｍ以下であることが望ましい。
【００６６】
また、透明層２０が隙間なく保護板１０に密着しやすくするために凹凸形状のピッチは凹凸の高さの１／２以上、より望ましくは２倍以上とすることが望ましい。これは、凹凸形状のピッチが凹凸形状の高さの１／２以下の場合には、特に透明層２０として、シート状の透明材料を用いる場合、透明層が保護板１０の凹部に密着しづらくなり、気泡が残留しやすくなるからである。
【００６７】
また、保護板に形成する凹凸を溝状の形状とすることで、保護板に外部から機械的な力が作用した場合のたわみ量を小さくすることができる。つまり、保護板に形成された凸部がリブとしても機能するため、外部から機械的な力が作用した場合に、表示パネルへ加わる力を抑制できる。
【００６８】
図２，図３，図４，図５はそれぞれ保護板１０の表示パネル側の面に形成する凹凸形状を溝状にする場合の溝の様子の例を模式的に示す正面図である。
【００６９】
図２は保護板１０の表示パネル側に形成する溝状の凹凸形状１１が、画面の長手方向と直交する場合を模式的に示す正面図である。この場合、保護板１０と透明層２０を接触させた際に抱き込まれる気泡は、圧力を加えることで保護板に形成した溝状の形状に沿って抜けるのだが、この経路がより短い距離となるため、気泡の残留を抑制しやすいという効果がある。
【００７０】
図３は保護板１０の表示パネル側に形成する溝状の凹凸形状１１が、画面の長手方向と平行な方向である場合を模式的に示す正面図である。この場合、保護板１０に形成された凸部がリブとしても機能し、外部から機械的な力が作用した場合に、保護板１０のたわむ量が、図２に例示する場合より小さくなり、表示パネルへ加わる力を抑制できるという効果がある。
【００７１】
図４は保護板１０の表示パネル側に形成する溝状の凹凸形状１１が、画面の長手方向に対して傾いた方向である場合を模式的に示す正面図である。この場合、保護板１０に形成される溝状の構造が繰り返される方向が表示パネル３０の画素配列と異なる方向となるため、保護板１０に形成される溝状の構造と表示パネル３０の画素配列との間で発生するモアレが抑制されるという効果がある。
【００７２】
図５は保護板１０の表示パネル側に形成する溝状の凹凸形状１１が、中央部から外側に向って放射状に伸びる形状である場合を模式的に示す正面図である。この場合、保護板１０に形成される溝状の構造が繰り返される方向が表示パネル３０の画素配列と異なる方向となるため、保護板１０に形成される溝状の構造と表示パネル３０の画素配列との間で発生するモアレが抑制されるという効果がある。また、凸部がリブとしても機能し、外部から機械的な力が作用した場合に、保護板１０のたわむ量がより小さくなり、表示パネルへ加わる力を抑制できるという効果がある。
【００７３】
いずれにしても保護板１０の表示パネル側の面に形成する凹凸形状は、透明層２０の弾性率や、厚さ、さらには表示パネルの精細度や、表示装置の用途に応じて、最適な形状を選択するようにすると良い。
【実施例２】
【００７４】
次に本発明の表示装置の他の実施例について説明する。図６は本発明の表示装置の一実施例の概略構成を模式的に示す断面図である。この表示装置１は表示パネル３０と、その前面に配置する保護板１０と、保護板１０と表示パネル３０の間に充填される透明層２０から構成され、上記実施例と同じ部材には同じ符号を付け詳細な説明は省略する。
【００７５】
本実施例では特に保護板１０が、少なくとも表示パネル３０側の面の中央部および（または）その近傍が周辺部よりも膨らんでいること特徴とする。
【００７６】
この場合、保護板１０を透明層２０上に重ねると、保護板１０と透明層２０は中央部およびその近傍から接触し、圧力を加えることで気泡は周辺部へ押し出されていくため、気泡の残留を抑制することができる。尚、この場合も保護板１０に微細な凹凸形状を形成する上記実施例と同様、透明層２０は予め、表示パネル３０上に密着させておく。この際、透明層２０として、シート状の材料を用いる場合、シート状の透明層の弾性率が１〜３×１０5Ｐａ程度であれば表示パネル３０上に気泡の残留なく密着させることは容易である。
【００７７】
図７は保護板１０の表示パネル３０側の膨らみ量ｄｃの定義を説明するための模式図である。保護板１０の表示パネル３０側の膨らみ量ｄｃは、図示の通り、保護板１０の中央部において、透明層２０が保護板１０に密着している最端部の位置を基準とする相対的な厚みである。また、表示パネル３０の表示領域（画面）端部において、同じく透明層２０が保護板１０に密着している最端部の位置を基準とする相対的な厚みを保護板端部での膨らみ量ｄｅと定義する。
【００７８】
本実施例では保護板の膨らみ量ｄｃと保護板端部での膨らみ量ｄｅにはｄｃ＞ｄｅの関係が有ることになる。
【００７９】
尚、保護板１０の表示パネル３０側の膨らみの量ｄｃは透明層２０を表示パネル３０上に配置した際の初期厚みよりも小さいことが望ましい。これは、保護板１０の膨らみの量ｄｃが透明層２０の初期厚さよりも大きい場合、保護板１０と透明層２０を密着させるため圧力を加えると透明層２０が弾性変形するのだが、圧力を無くすと保護板１０の周辺部で保護板１０と透明層２０が剥がれ易くなるからである。
【００８０】
本実施例においても上記実施例と同様、透明層２０として、シート状の材料を用いても、気泡の残留が抑制されるので、明るい環境であっても外光の反射が少なく、高品位な画像が得られる表示装置が実現できる。
【００８１】
尚、気泡を抜けやすくするには、保護板１０の表示パネル側の面や、表示パネル３０の表側の面といった透明層が接触する面の濡れ性を向上させることが有効である。表面の濡れ性が向上すると透明層が付着しやすくなるため、結果として気泡が抜けやすくなる。濡れ性の具体的な条件は水を基準に考えると、水との接触角が２０°以下、より望ましくは水との接触角が１０°以下とすることが好適である。
【実施例３】
【００８２】
次に本発明の表示装置の他の実施例について説明する。図８は本発明の表示装置の一実施例の概略構成を模式的に示す断面図である。この表示装置１は表示パネル３０と、その前面に配置する保護板１０と、保護板１０と表示パネル３０の間に充填される透明層２０から構成され、上記実施例と同じ部材には同じ符号を付け詳細な説明は省略する。
【００８３】
本実施例では特に保護板１０の少なくとも表示パネル３０側の面に数ナノから数十ナノの大きさの空隙を有する透明なナノポア層１００を備えることを特徴とする。
【００８４】
透明ナノポア層１００は無機酸化物から形成することができる。特に無機酸化物の中でも屈折率が比較的低い酸化ケイ素、或いは加水分解性基を有するケイ素化合物から形成することが不要な反射が発生することを防止するために望ましい。
【００８５】
酸化ケイ素を主成分とする透明ナノポア層は以下の工程により形成することができる。
まず、酸化ケイ素微粒子とシリカゾルを水、或いはアルコール系の溶媒に分散，溶解させる。これらの混合物を保護板１０に塗布後、速やかに加熱することにより、溶媒が急激に気化することで膜内部に気泡を生じる。この状態で固化が終了すると層内に数ナノから数十ナノの大きさの空隙を有する透明なナノポア層が形成できる。
【００８６】
この場合、保護板１０と透明層２０を接触させた際に抱き込まれる気泡は、圧力を加えることで透明ナノポア層１００内に分散し、一部は透明ナノポア層を介して排出され、一部は光の波長よりも小さな気泡となり視認できなくなる。
【００８７】
尚、この場合も上記実施例と同様、透明層２０は予め、表示パネル３０上に密着させておく。この際、透明層２０として、シート状の材料を用いる場合、シート状の透明層の弾性率が１〜３×１０5Ｐａ程度であれば表示パネル３０上に気泡の残留なく密着させることは容易である。
【００８８】
尚、透明ナノポア層を形成する酸化ケイ素微粒子は球形の場合、膜に入射した可視光（波長としては３８０〜７６０ｎｍ）が散乱しないよう平均粒子径は１９０ｎｍ以下が望ましい。これ以上になると入射した光が散乱するため膜が濁って見え、ディスプレイ関係への適用に不具合を生じる場合がある。また酸化ケイ素微粒子が鎖状の場合も上記と同様の理由で太さを１９０ｎｍ以下にすることが望ましい。
【００８９】
尚、透明ナノポア層１００は屈折率を低くできることから、その厚みを最適化することで単層の反射防止膜としても機能する。この場合、透明ナノポア層を保護板の表側の面にも形成するようにしても良い。図９はこのような本発明に係る表示装置の一実施例の概略構成を模式的に示す断面図である。この表示装置１は表示パネル３０と、その前面に配置する保護板１０と、保護板１０と表示パネル３０の間に充填される透明層２０から構成され、上記実施例と同じ部材には同じ符号を付け詳細な説明は省略する。この表示装置１では特に保護板１０の表側と表示パネル３０側の面にそれぞれ透明なナノポア層１１０，１００を備えることを特徴とする。
【００９０】
このように保護板の両面に透明なナノポア層を形成する方法としてはディップコート，フローコート等がある。
【００９１】
透明ナノポア層に反射防止機能を併用をする場合、その厚みは６０〜１９０ｎｍ程度とすれば良い。この場合、透明ナノポア層１１０には、保護板１０と透明層２０を接触させた際に抱き込まれる気泡を排出、或いは視認しにくくする効果があり、透明ナノポア層１１０には、保護板１０の表側の空気との境界面での反射を防止する効果がある。このため、明るい環境であっても外光の反射が少なく、高品位な画像が得られる表示装置が実現できる。
【実施例４】
【００９２】
次に本発明の表示装置の他の実施例について説明する。本実施例は表示パネルと、その前面側に配置する透明な保護板と、表示パネル及び保護板の間に透明層を有する表示装置において、透明層の端部の厚みが中央部より薄いことを特徴とする。
【００９３】
図１０，図１１，図１２，図１３はそれぞれ本発明の表示装置の一実施例の概略構成を模式的に示す断面図である。本実施例に係る表示装置１も表示パネル３０と、その前面に配置する保護板１０と、保護板１０と表示パネル３０の間に充填される透明層２０から構成され、上記実施例と同じ部材には同じ符号を付け詳細な説明は省略する。
【００９４】
ここでは、透明層２０の端部とは、表示パネル３０の表示領域（画面）の外側に相当する位置に存在するものであり、その厚みｔｅ（図１３においてはｔｅ１＋ｔｅ２）が透明層２０の表示パネル３０の表示領域（画面）に相当する位置での厚みｔｃより小さい部分のことを示すこととする。
【００９５】
図１０は透明層２０の端部が略半球状に外側に向って膨らんだ形状であることで透明層の端部の厚みｔｅが中央部の厚みｔｃより薄い場合を模式的に示す断面図である。この場合、表示パネル３０の表面に偏光板が設けられ、その端面にばりが存在しても、透明層の端部が薄いため、この部分を偏光板の端部に相当する位置に配置することで、偏光板の端面のばりに起因する気泡の発生は抑制される。また、透明層の熱膨張係数が表示パネルよりも大きく、環境温度が低い状態の場合、透明層は表示パネルよりも大きく収縮するが、透明層の端部が略半球状に外側に向って膨らんでいるため、温度低下による寸法の変化を透明層で吸収しやすくなる。
【００９６】
図１１は透明層２０の端部が略三角柱状に外側に向って膨らむ形状であることで透明層の端部の厚みｔｅが中央部の厚みｔｃより薄い場合を模式的に示す断面図である。この場合も表示パネル３０の表面に偏光板が設けられ、その端面にばりが存在していても、透明層の端部が薄いため、この部分を偏光板の端部に相当する位置に配置することで、偏光板の端面のばりに起因する気泡の発生は抑制される。また、透明層の熱膨張係数が表示パネルよりも大きく、環境温度が低い状態の場合、透明層は表示パネルよりも大きく収縮するが、透明層の端部が外側に向って膨らんでいるため、温度低下による寸法の変化を透明層で吸収しやすくなる。
【００９７】
図１２は透明層２０の端部を斜めにカットすることで端部の厚みｔｅを中央部の厚みｔｃよりも薄くする場合を模式的に示す断面図である。この場合も表示パネル３０の表面に偏光板が設けられ、その端面にばりが存在していても、透明層の端部が薄いため、この部分を偏光板の端部に相当する位置に配置することで、偏光板の端面のばりに起因する気泡の発生は抑制される。
【００９８】
図１３は透明層２０の端部が内側へ凹んだ形状であることで透明層の端部の厚みｔｅ１＋ｔｅ２が中央部の厚みｔｃより薄い場合を模式的に示す断面図である。この場合も表示パネル３０の表面に偏光板が設けられ、その端面にばりが存在していても、透明層の端部が薄いため、この部分を偏光板の端部に相当する位置に配置することで、偏光板の端面のばりに起因する気泡の発生は抑制される。また、透明層の熱膨張係数が表示パネルよりも大きく、環境温度が高い状態の場合、透明層は表示パネルよりも大きく膨張するが、透明層の端部が内側に向って凹んでいるため、温度上昇による寸法の変化を透明層で吸収しやすくなる。
【００９９】
いずれにしても透明層２０の端部の形状は、透明層２０の弾性率や、厚さ、さらには表示パネルの表面の状態や、表示装置の使用環境に応じて、最適な形状を選択するようにすると良い。
【０１００】
また、透明層２０の端部の形状は透明層がシート状素材であれば端面をカットする方法、あるいは透明層が液状材料であれば透明層を保持するための土手の形状や、保護板及び（あるいは）表示パネル表面の濡れ性を制御し、その接触角を調整することにより変化させることができる。
【実施例５】
【０１０１】
次に本発明の表示装置の他の実施例について説明する。本実施例は表示パネルと、その前面側に配置する透明な保護板と、表示パネル及び保護板の間に透明層を有する表示装置において、表示パネルの表面に偏光板などのフィルムを有し、そのフィルムの端部の形状に起因して発生する気泡を抑制することを目的とする。
【０１０２】
図１４，図１５，図１６はそれぞれ本発明の表示装置の一実施例の概略構成を模式的に示す断面図である。本実施例に係る表示装置１も表示パネル３０と、その前面に配置する保護板１０と、保護板１０と表示パネル３０の間に充填される透明層２０から構成され、上記実施例と同じ部材には同じ符号を付け詳細な説明は省略する。
【０１０３】
表示パネル３０としては液晶表示パネルや有機エレクトロルミネッセンス表示パネルを用いることができる。液晶表示パネルの場合、表示パネルの最表面には偏光板が配置される。また、有機エレクトロルミネッセンス表示パネルの場合にも、電極での反射を抑制するため表示パネルの最表面に円偏光板が配置される。つまり、図１４，図１５，図１６において、表示パネルの最表面に配置されるフィルム３５は偏光板であることが一般的である。
【０１０４】
図１４は透明層２０の端部を斜めにカットすることで端部の厚みを薄くし、幅が大きい面を表示パネル側に配置する場合を模式的に示す断面図である。この場合、表示パネル３０の表面のフィルム３５の端面にばりが存在していても、透明層の端部が薄いため、この部分をフィルム３５の端部に相当する位置に配置することで、フィルム３５の端面のばりに起因する気泡の発生は抑制される。
【０１０５】
図１５は透明層２０の端部を斜めにカットすることで端部の厚みを薄くし、幅が狭い面を表示パネル側に配置する場合を模式的に示す断面図である。この場合、表示パネル３０の表面のフィルム３５の端面にばりが存在していても、透明層の端部の幅が狭い面を表示パネル側に向け、透明層の端部がフィルム３５の端部に触れないように配置することで、フィルム３５の端面のばりに起因する気泡の発生は抑制される。
【０１０６】
図１６は表示パネル３０の表面に設けられるフィルム３５の端面形状がテーパー状である場合を模式的に示す断面図である。この場合、表示パネル３０の表面のフィルム３５の端面にはばりが存在しないので、フィルム３５の端面のばりに起因する気泡の発生は抑制される。
【実施例６】
【０１０７】
次に本発明の表示装置の他の実施例について説明する。本実施例は表示パネルと、その前面側に配置する透明な保護板と、表示パネル及び保護板の間に透明層を有する表示装置において、保護板に設けられる着色層に起因して発生する気泡を抑制することを目的とする。
【０１０８】
図１７は保護板１０の一例を示す斜視図である。携帯電話に使用される表示装置では一般に保護板１０の表示パネル側に枠やロゴなどの着色層が印刷されている。図１７では一例として内側に黒色で枠状に形成される第１の着色層１２と、その外側に明るい色で枠状に形成される第２の着色層１３を有する保護板を例示している。
【０１０９】
このような着色層は通常、有限の厚みを有するため保護板の表面に段差を形成することになる。この段差は、透明層と保護板を密着させる際、気泡を残留させる原因となる。
【０１１０】
図１８，図１９，図２０はそれぞれ本発明の表示装置に係る保護板の一実施例の概略構成を模式的に示す断面図である。
【０１１１】
図１８は保護板１０の表示パネル側の面、すなわち、着色層が形成された面上に透明な平坦化層１４を設けたものである。
【０１１２】
平坦化層１４としては、ＳｉＯ2，Ａｌ2Ｏ3等の酸化物や、ＳｉＮ，ＡｌＮ等の窒化物などの無機材料、或いはアクリル系樹脂，ベンゾシクロブテン樹脂，ポリイミド系樹脂等の有機材料を用いることができる。
【０１１３】
この場合、保護板上の着色層による段差が平坦化されるため、着色層に起因して発生する気泡は抑制される。
【０１１４】
図１９及び図２０はともに保護板１０の表示パネル側の面であって、なおかつ着色層が形成される領域に段差を設け、着色層１２，１３を形成した際に表示パネル側に突き出す段差が生じないように構成するものである。図１９に例示する保護板１０は着色層を形成する面を凹ませさらに傾けることで着色層１２，１３を形成した際に表示パネル側に突き出す段差が生じないように構成している。また、図２０に例示する保護板１０は着色層を形成する部分に凹んだ段差を設け、着色層１２，１３を形成した際にほぼ平らになるように構成している。この場合、保護板上の着色層による表示パネル側に突き出す段差はないため着色層の段差に起因して発生する気泡は抑制される。
【０１１５】
また、図２１と図２２はそれぞれ本発明の表示装置の一実施例の概略構成を模式的に示す断面図である。本実施例に係る表示装置１も表示パネル３０と、その前面に配置する保護板１０と、保護板１０と表示パネル３０の間に充填される透明層２０から構成され、上記実施例と同じ部材には同じ符号を付け詳細な説明は省略する。
【０１１６】
図２１は透明層２０の端部を斜めにカットすることで端部の厚みを薄くし、幅が大きい面を表示パネル側に配置する場合を模式的に示す断面図である。この場合、保護板１０の表示パネル３０側の面に着色層１２，１３による段差を有していても、透明層の端部の幅が狭い面を保護板１０側に向け、透明層の端部が保護板１０上の着色層１２の端部に触れないように配置することで、着色層の段差に起因して発生する気泡は抑制される。
【０１１７】
図２２は透明層２０の端部が略半球状に外側に向って膨らんだ形状とすることで、透明層の端部の厚みが中央部の厚みより薄い場合を模式的に示す断面図である。この場合、保護板１０の表示パネル３０側の面に着色層１２，１３による段差を有していても、透明層の端部が保護板１０上の着色層１２の端部に触れないように配置することで、着色層の段差に起因して発生する気泡は抑制される。また、透明層の熱膨張係数が表示パネルよりも大きく、環境温度が低い状態の場合、透明層は表示パネルよりも大きく収縮するが、透明層の端部が略半球状に外側に向って膨らんでいるため、温度低下による寸法の変化を透明層で吸収しやすくなる。
【実施例７】
【０１１８】
次に本発明の表示装置の他の実施例について説明する。図２３は本発明の表示装置の一実施例の概略構成を模式的に示す断面図である。この表示装置１は表示パネル３０と、その前面に配置する保護板１０と、保護板１０と表示パネル３０の間に充填される透明層２０から構成され、上記実施例と同じ部材には同じ符号を付け詳細な説明は省略する。
【０１１９】
本実施例では特に保護板１０と表示パネル３０の間にさらに透明板１５を備え、表示パネル３０と透明板１５の間と、透明板１５と保護板１０との間にそれぞれ透明層２０，２１を有することを特徴とする。
【０１２０】
透明板１５は、保護板１０と同様、可視領域に吸収がほとんど無い透明な板を用いることができる。具体的にはアクリルやポリカーボネートなどの透明な樹脂からなる板やガラス板を使用することができる。
【０１２１】
透明層２０，２１は、それぞれ表示パネル３０と透明板１５、及び透明板１５と保護板１０に対し、その屈折率の値が近いほどそれぞれとの境界面における反射が小さくなる。つまり、不要な反射を減らすため、透明層の屈折率は表示パネル，透明板、及び保護板とは屈折率の差が小さいことが必要である。
【０１２２】
このため、素材の種類を増やさないためには、透明層２０，２１として同じ材質の透明層を用い、さらに透明板１５と保護板１０も同じ素材を用いることが望ましい。
【０１２３】
透明板１５は少なくとも表示パネル３０の表示領域（画面）よりも面積を大きくすることが表示領域をクリアに観察するために望ましい。
【０１２４】
本実施例では、保護板１０に外部から機械的な力が作用する場合、二つの透明層２０，２１と透明板１５にも力が加わり、表示パネル３０へ加わる力を分散できる。
【０１２５】
尚、本実施例においても透明層に残留する気泡を抑制するために、保護板１０及び透明板１５の表示パネル３０側の面に微細な凹凸形状を形成してもよい。図２４は本発明の表示装置の一実施例の概略構成を模式的に示す断面図である。この表示装置１は表示パネル３０と、その前面に配置する透明板１５、及び保護板１０と、表示パネル３０と透明板１５、及び透明板１５と保護板１０との間にそれぞれ充填される透明層２０，２１から構成され、上記実施例と同じ部材には同じ符号を付け詳細な説明は省略する。
【０１２６】
この場合、保護板１０と透明層２１、或いは透明板１５と透明層２０を接触させた際に抱き込まれる気泡は、圧力を加えることでそれぞれ保護板及び透明板に形成した凹凸の隙間から抜けるため、気泡の残留を抑制することができる。つまり、透明層２０，２１として、シート状の材料を用いても、気泡の残留が抑制されるので、明るい環境であっても外光の反射が少なく、高品位な画像が得られる表示装置が実現できる。
【０１２７】
尚、保護板１０及び透明板１５に微細な凹凸形状を形成する場合には、透明層２０は予め、表示パネル３０上に密着させておく。この際、透明層２０として、シート状の材料を用いる場合、シート状の透明層の弾性率が１〜３×１０5Ｐａ程度であれば表示パネル３０上に気泡の残留なく密着させることは容易である。また、透明板１５の表面側には表示パネル３０と透明板１５を透明層２０を介して密着させた後に、透明層２１を密着させる。その際も透明層２１として、シート状の材料を用いる場合、シート状の透明層の弾性率が１〜３×１０5Ｐａ程度であれば表示パネル３０上に気泡の残留なく密着させることは容易である。
【０１２８】
尚、透明板１５と保護板１０に形成する微細な凹凸形状を溝状とし、互いにその溝の方向を略直交するように構成すると、透明板１５と保護板１０上の凸部がリブとして機能して、外部から機械的な力が作用した場合に透明板１５と保護板１０がたわむ量を抑制され、表示パネル３０へ加わる力を抑制できる。
【０１２９】
尚、これとは別に透明層に残留する気泡を抑制するために、保護板１０及び透明板１５の表示パネル３０側の面の中央部および（または）その近傍が周辺部よりも膨らんだもので構成しても良い。図２５は本発明の表示装置の一実施例の概略構成を模式的に示す断面図である。この表示装置１は表示パネル３０と、その前面に配置する透明板１５、及び保護板１０と、表示パネル３０と透明板１５、及び透明板１５と保護板１０との間にそれぞれ充填される透明層２０，２１から構成され、上記実施例と同じ部材には同じ符号を付け詳細な説明は省略する。
【０１３０】
この場合、保護板１０と透明層２１、或いは透明板１５と透明層２０を接触させた際保護板１０と透明層２１、或いは透明板１５と透明層２０は中央部およびその近傍から接触し、圧力を加えることで気泡は周辺部へ押し出されていくため、気泡の残留を抑制することができる。
【０１３１】
さらに、これとは別に透明層に残留する気泡を抑制するために、透明板の保護板側の面と表示パネル側の面の両方の面に微細な凹凸形状を形成するようにしてもよい。図２６は本発明の表示装置の一実施例の概略構成を模式的に示す断面図である。この表示装置１は表示パネル３０と、その前面に配置する透明板１５、及び保護板１０と、表示パネル３０と透明板１５、及び透明板１５と保護板１０との間にそれぞれ充填される透明層２０，２１から構成され、上記実施例と同じ部材には同じ符号を付け詳細な説明は省略する。
【０１３２】
この場合、保護板１０の表示パネル３０側の面には気泡残留抑制のために微細な凹凸形状を設けても良いが、保護板１０を平板状としても良い。
【０１３３】
保護板１０を平板状とする場合、透明層２１は予め、保護板１０上に密着させておく。この際、透明層２１として、シート状の材料を用いる場合、シート状の透明層の弾性率が１〜３×１０5Ｐａ程度であれば保護板１０上に気泡の残留なく密着させることは容易である。
【０１３４】
この場合、透明板１５の保護板１０側の面と表示パネル３０側の面に異なる方向に伸びる微細な凹凸からなる溝を形成することで、透明層と透明板との間に残留する気泡を排除しやすくなり、さらに透明板上の凸部がリブとして機能することで、外部から機械的な力が作用した場合に透明板がたわむ量を抑制することができ表示パネルへ加わる力を抑制できる。
【実施例８】
【０１３５】
次に本発明の表示装置の他の実施例について説明する。図２７は本発明の表示装置の一実施例の概略構成を模式的に示す断面図である。この表示装置１は表示パネル３０と、その前面に配置する保護板１０と、保護板１０と表示パネル３０の間に充填される透明層２０から構成され、上記実施例と同じ部材には同じ符号を付け詳細な説明は省略する。
【０１３６】
本実施例では特に表示パネル３０として液晶表示パネルを用い、該液晶表示パネルは液晶セル４０とバックライト５０から構成され、液晶セル４０とバックライト５０の間に透明層２０と略同じ素材の透明層２２を配置することを特徴とする。
【０１３７】
この場合、液晶セル４０は２つの透明層２０，２２でサンドイッチされるため、透明層の熱膨張係数が液晶セルと異なる場合であっても、環境温度の変化により液晶セルが反ってしまい、表示が乱れたり、機械的に変形してしまうことが抑制される。
【０１３８】
特に、バックライト５０としてサイドライト方式を用い、その導光板に使用する透明体と、保護板に使用する透明体を、アクリル樹脂，シクロオレフィン樹脂，ポリカーボネートなど、同じ材質、もしくは同等の熱膨張係数を有する材質で構成すれば、表示装置全体が液晶セルを中心として、ほぼ対称な構造となるため各構成要素の熱膨張係数が異なっていても、表示装置が反ってしまい、表示が乱れたり、機械的に変形してしまうことが抑制される。
【実施例９】
【０１３９】
次に本発明の表示装置を備える機器の実施例について説明する。図２８は本発明の表示装置を備える機器の一実施例の概略構成を模式的に示す断面図である。また、図２９は本発明の表示装置を備える機器の表示装置近傍の概略構成を模式的に示す一部断面図である。
【０１４０】
この機器は、テンキー等から構成される入力手段４００と、保護板１０と透明層２０と表示パネル３０から構成される表示装置１と、これら入力手段４００や表示装置１などを保持する筐体２００を備える。
【０１４１】
表示装置１は表示パネル３０と、その前面に配置する保護板１０と、保護板１０と表示パネル３０の間に充填される透明層２０から構成され、上記実施例と同じ部材には同じ符号を付け詳細な説明は省略する。保護板１０は表示パネル３０よりも面積が大きく、表示パネル３０は透明層２０により保護板１０に接着されている。
【０１４２】
さらに表示装置１は保護板１０によって、粘着テープ等により筐体２００に固定され、表示パネル３０の裏面側にはスポンジなどの緩衝部材３００が備えられる。
【０１４３】
この場合、外部から表示装置に加わる機械的な力は保護板１０と機器の筐体２００に加わり、表示パネル３０へ加わる力が抑制できるため、表示に不具合が生じにくくなる。
【符号の説明】
【０１４４】
１…表示装置、１０…保護板、１２，１３…着色層、１４…平坦化層、１５…透明板、２０，２１，２２…透明層、３０…表示パネル、４０…液晶セル、５０…バックライト、２００…筐体。
【図１】
2011118409.tif 000003
【図２】
2011118409.tif 000004
【図３】
2011118409.tif 000005
【図４】
2011118409.tif 000006
【図５】
2011118409.tif 000007
【図６】
2011118409.tif 000008
【図７】
2011118409.tif 000009
【図８】
2011118409.tif 000010
【図９】
2011118409.tif 000011
【図１０】
2011118409.tif 000012
【図１１】
2011118409.tif 000013
【図１２】
2011118409.tif 000014
【図１３】
2011118409.tif 000015
【図１４】
2011118409.tif 000016
【図１５】
2011118409.tif 000017
【図１６】
2011118409.tif 000018
【図１７】
2011118409.tif 000019
【図１８】
2011118409.tif 000020
【図１９】
2011118409.tif 000021
【図２０】
2011118409.tif 000022
【図２１】
2011118409.tif 000023
【図２２】
2011118409.tif 000024
【図２３】
2011118409.tif 000025
【図２４】
2011118409.tif 000026
【図２５】
2011118409.tif 000027
【図２６】
2011118409.tif 000028
【図２７】
2011118409.tif 000029
【図２８】
2011118409.tif 000030
【図２９】
2011118409.tif 000031